(57)【要約】【課題】  仮基準水位検出、基準水位検出時の後にエアが配管から抜けた場合であっても、設定した水位の湯張りを行うことのできる給湯機を提供することにある。【解決手段】  浴槽１５の循環口１８に接続された風呂往き管１９と風呂戻り管２０の双方から浴槽に湯水を供給する両側給湯と、風呂往き管から浴槽に湯水を供給する片側給湯を選択的に行うとともに、浴槽の水位を検出する圧力センサ３５を用いて前記浴槽に湯水を所定の設定水位まで自動的に供給して湯張りを行う給湯機１０であり、残湯検知後の仮基準水位又は仮基準水位検出後の所定の給湯によって書き換えられる基準水位検出時の圧力センサの出力が、直前の出力値に対して変化したときに、再度仮基準水位又は基準水位を検出して当該仮基準水位、基準水位を特定する。【選択図】      図１
2007024410.tif 000002
【特許請求の範囲】
【請求項１】
浴槽の循環口に接続された風呂往き管と風呂戻り管の双方から浴槽に湯水を供給する両側給湯と、風呂往き管から浴槽に湯水を供給する片側給湯を選択的に行うとともに、浴槽の水位を検出する圧力センサを用いて前記浴槽に湯水を所定の設定水位まで自動的に供給して湯張りを行う給湯機において、
仮基準水位又は仮基準水位検出後に書き換えられる基準水位検出時の圧力センサの出力が、直前の出力値に対して変化したときに、再度仮基準水位又は基準水位を検出することを特徴とする給湯機。
【請求項２】
浴槽の循環口に接続された風呂往き管と風呂戻り管の双方から浴槽に湯水を供給する両側給湯と、風呂往き管から浴槽に湯水を供給する片側給湯を選択的に行うとともに、浴槽の水位を検出する圧力センサを用いて前記浴槽に湯水を所定の設定水位まで自動的に供給して湯張りを行う給湯機において、
仮基準水位検出時の圧力センサの出力が、直前の出力値に対して変化したときに、所定の給湯を行って再度仮基準水位を検出することを特徴とする給湯機。
【請求項３】
浴槽の循環口に接続された風呂往き管と風呂戻り管の双方から浴槽に湯水を供給する両側給湯と、風呂往き管から浴槽に湯水を供給する片側給湯を選択的に行うとともに、浴槽の水位を検出する圧力センサを用いて前記浴槽に湯水を所定の設定水位まで自動的に供給して湯張りを行う給湯機において、
基準水位検出時の圧力センサの出力が、直前の出力値に対して変化したときに、循環ポンプを作動させた後に再度基準水位を検出することを特徴とする給湯機。
【発明の詳細な説明】
【技術分野】
【０００１】
本発明は給湯機に係り、更に詳しくは、浴槽への湯張り機能を備えた給湯機に関する。
【背景技術】
【０００２】
浴槽の水位を検出する圧力センサを用いて浴槽に湯水を所定の設定水位となるまで自動的に湯張りを行い、設定水位に達したときに、自動的に給湯を停止する機能を備えた給湯機が知られている（例えば、特許文献１参照）。
【０００３】
【特許文献１】特開２００１−２６３７９４号公報
【発明の開示】
【発明が解決しようとする課題】
【０００４】
給湯機と浴槽循環口とを接続する風呂往き管及び風呂戻り管等の配管の引き回し経路によって、配管中のエアパージが不十分となる場合があり、仮基準水位の検出、基準水位の検出の後にエアが配管から抜けることがある。この点、特許文献１では、かかるエア抜けの対策が講じられておらず、従って、誤った仮基準水位、基準水位を取り込んでしまうことになり、その後の湯張り完了時の浴槽水位が設定水位と異なるものになる、という不都合を招来する。
【０００５】
［発明の目的］
本発明は、このような不都合に着目して案出されたものであり、その目的は、仮基準水位検出、基準水位検出後にエアが配管から抜けた場合であっても、設定した水位の湯張りを精度良く行うことのできる給湯機を提供することにある。
【課題を解決するための手段】
【０００６】
前記目的を達成するため、本発明は、浴槽の循環口に接続された風呂往き管と風呂戻り管の双方から浴槽に湯水を供給する両側給湯と、風呂往き管から浴槽に湯水を供給する片側給湯を選択的に行うとともに、浴槽の水位を検出する圧力センサを用いて前記浴槽に湯水を所定の設定水位まで自動的に供給して湯張りを行う給湯機において、
仮基準水位又は仮基準水位検出後に書き換えられる基準水位検出時の圧力センサの出力が、直前の出力値に対して変化したときに、再度仮基準水位又は基準水位を検出する、という構成を採っている。
【０００７】
また、本発明は、浴槽の循環口に接続された風呂往き管と風呂戻り管の双方から浴槽に湯水を供給する両側給湯と、風呂往き管から浴槽に湯水を供給する片側給湯を選択的に行うとともに、浴槽の水位を検出する圧力センサを用いて前記浴槽に湯水を所定の設定水位まで自動的に供給して湯張りを行う給湯機において、
仮基準水位検出時の圧力センサの出力が、直前の出力値に対して変化したときに、所定の給湯を行って再度仮基準水位を検出する、という構成を採ることもできる。
【０００８】
更に、本発明は、浴槽の循環口に接続された風呂往き管と風呂戻り管の双方から浴槽に湯水を供給する両側給湯と、風呂往き管から浴槽に湯水を供給する片側給湯を選択的に行うとともに、浴槽の水位を検出する圧力センサを用いて前記浴槽に湯水を所定の設定水位まで自動的に供給して湯張りを行う給湯機において、
基準水位検出時の圧力センサの出力が、直前の出力値に対して変化したときに、循環ポンプを作動させた後に再度基準水位を検出する、という構成を採っている。
【発明の効果】
【０００９】
本発明によれば、仮基準水位又は基準水位に対応した圧力センサの出力電圧若しくは出力電流（以下、出力電圧と出力電流を指して、出力値とする。）を取り込んだ際に、直前に取り込んだ圧力値に対して変化していない場合には、配管内のエアパージが完全に行われた状態と判断することができる一方、圧力値の変化が生じているときは、配管内のエアパージが完了していない状態にあると判断することができる。
エアパージ直後は、当該エアパージで抜けきれなかったエアが徐々に抜ける場合がある。このとき、圧力値が次第に降下する方向に変化するので、その際の降下中の圧力値に基づいて仮基準水位又は基準水位を特定すると、実際の水位よりも高い方向にずれた水位を仮基準水位又は基準水位としてしまうので、そのずれた分だけ設定風呂水位に誤差を生じてしまうことになる。
本発明は、圧力の変化がない安定した状態、つまり、エアパージが完了した状態の圧力値に基づいて仮基準水位、基準水位を特定するので、実際の水位に対応した水位を基準とすることができ、これにより、誤差なく設定風呂水位まで湯張りを行うことが可能となる。
【発明を実施するための最良の形態】
【００１０】
以下、本発明の好ましい実施の形態について、図面を参照しながら説明する。
【００１１】
図１には、本実施形態に係る給湯機の概略構成図が示されている。この図において、給湯機１０は、内部に一定量の湯水を収容することのできる缶体(熱交換器)１１と、当該缶体１１の下部に設けられたバーナー１２と、缶体１１に接続されて水道水を缶体１１内に供給する給水管１４と、缶体１１内の湯を浴槽１５及びキッチン等の外部設備に給湯する給湯管１６と、缶体１１内に配置された追焚きコイル１７と浴槽１５の循環口１８との間に接続された風呂往き管１９及び風呂戻り管２０と、前記バーナー１２等を所定制御する制御装置２１と、この制御装置２１に対して外部から遠隔操作可能とするリモートコントローラ２２とを備えて構成されている。
【００１２】
前記給水管１４と給湯管１６の各途中には給水分岐管１４Ａと給湯分岐管１６Ａが設けられており、それらの先端は湯水混合弁２５に接続されている。この湯水混合弁２５は、湯張り配管２６、電磁弁２７を介して風呂往き管１９に接続されているとともに、三方弁２８を介して風呂戻り管２０に接続されている。
【００１３】
前記給水管１４には、水温サーミスタ３０と流量センサ３１が配置され、給湯管１６には湯温サーミスタ３２が配置されている。また、風呂戻り管２０には、風呂温度サーミスタ３４、圧力センサ３５及び循環ポンプ３６が配置されている。
【００１４】
前記制御装置２１は、前述したバーナー１２を所定制御する他、各種の設定値、例えば、給湯設定温度、風呂設定温度、浴槽の仮基準水位、基準水位、設定水位等を記憶する機能、圧力センサ３５の出力値に基づいて浴槽が設定水位に達したか否かを判別する機能等を備えて構成されている。
【００１５】
次に、本実施形態の湯張り制御について、図２をも参照しながら説明する。なお、以下の説明において、「両側給湯」とは、三方弁２８を湯張り配管２６と風呂戻り管２０とを連通する弁位置とし、電磁弁２７を開弁し、風呂往き管１９及び風呂戻り管２０の双方から浴槽１５への湯張りを行う態様について用いられ、「片側給湯」とは、三方弁２８を湯張り配管２６と風呂戻り管２０とを非連通とする弁位置とし、電磁弁２７を開弁し、風呂往き管１９のみから浴槽１５への湯張りを行う態様について用いられる。
【００１６】
リモートコントローラ２２の運転スイッチ及び自動スイッチをＯＮ操作し（図２中、Ｓ１、Ｓ２参照）、浴槽１５の循環口１８までの追焚き経路すなわち風呂往き管１９及び風呂戻り管２０を湯で満たすために、例えば、１分間「両側給湯」を行う（Ｓ３参照）。
循環ポンプ３６を作動させて圧力センサ３５で検出する圧力の変化から浴槽１５内に湯水があるか否か（残湯検知）を行い（Ｓ４，Ｓ５参照）、残湯がある場合には、その風呂水位が「設定風呂水位−α」（αは、例えば、５cm）に達したか否かを判断して次のステップに移行する（Ｓ１３以下参照）。この一方、残湯がない場合には再度両側給湯を、例えば、１分間行う（Ｓ６参照）。そして、浴槽１５の循環口１８までの追焚き経路が湯水で満たされた状態で、圧力センサ３５が検出する圧力に対応した水位を仮基準水位として制御装置２１のメモリーに記憶させる（Ｓ７参照）。この仮基準水位の取り込みに際しては、直前の圧力値に対して、最新の圧力値が変化していないことが条件とされる。変化を生じている場合には、再び仮基準水位を検出して圧力変化がない状態を条件として仮基準水位を特定記憶する。これは、配管内のエアパージが完全でない場合には、圧力値が徐々に減少するので、このときの圧力値に基づいて仮基準水位とすると、実際の水位よりも高い方向にずれた水位を仮基準水位としてしまうため、そのずれに対応した分だけ設定風呂水位に誤差を生じさせてしまうためである。
【００１７】
そして、浴槽１５の循環口１８が完全に水没した状態で、すなわち圧力センサ３５が検出する水位が「仮基準水位＋α」（αは、例えば、５cm）になるまで片側給湯を行う（Ｓ８〜Ｓ１０参照）。
【００１８】
次いで、循環ポンプ３６を作動させて追焚き経路のエアパージを行う（Ｓ１１参照）。そして、圧力センサ３５が検出する圧力すなわち水位を基準水位として記憶する（Ｓ１２参照）。この基準水位の取り込みに際しても、仮基準水位の取り込みと同様に、直前の圧力値に対して、最新の圧力値が変化していないことが条件とされ、変化を生じている場合には、再び基準水位の取り込みを行い、直前の圧力値に対して変化していない状態の圧力値に基づいて基準水位を特定、記憶することとなる。なお、このときの水位は、基準水位＋αとなっている。
【００１９】
風呂水位がリモートコントローラ２２で設定した「設定風呂水位−β」（βは、例えば、５cm）を越えるまで所定時間の「両側給湯」を、例えば、約２分間繰り返す（Ｓ１３参照）。この際、１回の両側給湯を行った後に水位検知を行い、風呂水位が「設定風呂水位−β」に達したか否かを判断し、達していれば次工程に進み、達していなければ再度２分間の両側給湯を行う。なお、水位検知のときには、追焚き経路への給湯や循環ポンプは作動していない。
【００２０】
そして、風呂水位が、設定した「設定風呂水位」に達するまで「片側給湯」が行われる（Ｓ１５〜Ｓ１６参照）。
【００２１】
従って、本実施形態によれば、仮基準水位及び基準水位の特定に際し、エアパージ中の変動を伴う圧力値を除外し、エアパージが完了した状態での圧力値に基づいて仮基準水位、基準水位を特定する構成であるため、その後の給湯による設定風呂水位に至るまでの誤差を生ずることがない湯張りが可能になる、という効果を得る。
【００２２】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２３】
前記実施形態において、仮基準水位を検出する際に、直前のセンサ出力値から変化したときに、再び仮基準水位検出するものとしたが、再度両側給湯を行って仮基準水位を検出する構成を採用してもよい。仮基準水位の検出は、浴槽に残湯がない状態であるため、循環ポンプを作動させることによってエアパージをしようとすると、配管内に入れた湯水を排出してしまうことになるためである。
また、基準水位を検出する際に、直前のセンサ出力値から変化したときに、再び基準水位検出するものとしたが、循環ポンプを作動させた後に基準水位を検出するように構成してもよい。基準水位の検出は、循環口が完全に水没した程度の湯水が浴槽内に存在するので、循環ポンプを作動させてエアパージを行うことができるためである。
【図面の簡単な説明】
【００２４】
【図１】本実施形態に係る給湯機の概略構成図。
【図２】前記給湯機の給湯動作を示すフローチャート図。
【符号の説明】
【００２５】
１０…給湯機、１１…缶体、１２…バーナー、１４…給水管、１５…浴槽、１６…給湯管、１８…循環口、３５…圧力センサ
【図１】
2007024410.tif 000003
【図２】
2007024410.tif 000004